(57)【要約】【課題】  時間領域で拡散した信号をマルチキャリアにより伝送するときに、特定のチップ位置に信号電力が集中するのを防止する。【解決手段】  位相調整器１５−１１〜１５−ＮＭにより、符号多重に用いる拡散符号をサブキャリアに対応する経路ごとにずらす。これにより、同一データを符号多重した場合に第１の加算器１７−１〜１７−Ｎから出力される信号のピーク位置を互いにずらすことができる。【選択図】図１
2006303552.tif 000002
【特許請求の範囲】
【請求項１】
複数のサブキャリアに対応する複数の経路の各々で、複数のデータ列を符号分割多重するマルチキャリアＣＤＭＡ通信方法において、
前記複数のデータ系列の拡散に用いられる拡散符号群の位相を前記経路毎にずらしたことを特徴とするマルチキャリアＣＤＭＡ通信方法。
【請求項２】
請求項１に記載されたマルチキャリアＣＤＭＡ通信方法において、
符号生成部で生成させた前記拡散符号群を前記複数の経路に対応するよう分岐させ、
分岐させた複数の拡散符号群の位相を、対応する経路毎に予め定められた量だけずらすようにしたことを特徴とするマルチキャリアＣＤＭＡ通信方法。
【請求項３】
請求項１又は２に記載されたマルチキャリアＣＤＭＡ通信方法において、
前記拡散符号群がアダマール符号からなることを特徴とするマルチキャリアＣＤＭＡ通信方法。
【請求項４】
複数のサブキャリアに対応する複数の拡散処理部と、該複数の拡散処理部に共通の拡散符号群を供給する符号生成部とを備えたマルチキャリアＣＤＭＡ送信装置において、
前記符号生成部と前記複数の拡散処理部の各々との間に、前記拡散符号群の位相を調整する位相調整部を設けたことを特徴とするマルチキャリアＣＤＭＡ送信装置。
【請求項５】
請求項４に記載されたマルチキャリアＣＤＭＡ送信装置において、
前記位相調整部がそれぞれ他の位相調整部と異なる位相調整量を有していることを特徴とするマルチキャリアＣＤＭＡ送信装置。
【請求項６】
請求項４又は５に記載されたマルチキャリアＣＤＭＡ送信装置において、
前記複数の拡散処理部が、それぞれ複数の拡散器を備え、
前記符号生成部が、前記複数の拡散器に互いに異なる拡散符号を供給するための複数の符号生成器を備え、
前記位相調整部が、前記複数の符号生成器から前記複数の拡散器に供給される複数の拡散符号の位相をそれぞれ調整するための複数の位相調整器を備えていることを特徴とするマルチキャリアＣＤＭＡ送信装置。
【請求項７】
請求項４，５又は６に記載されたマルチキャリアＣＤＭＡ送信装置において、
入力データ列を前記複数の拡散処理部へ供給するように複数のデータ列に分解するシリアル／パラレル変換部と、
前記複数の拡散部からの出力をそれぞれ加算する複数の第１の加算器と、
該複数の第１の加算器の出力を用いて前記複数のサブキャリアを変調する複数の変調器と、
該複数の変調器の出力を加算する第２の加算器とを備えていることを特徴とするマルチキャリアＣＤＭＡ送信装置。
【請求項８】
請求項４，５又は６に記載されたマルチキャリアＣＤＭＡ送信装置において、
入力データ列を前記複数の拡散処理部へ供給するように複数のデータ列に分解するシリアル／パラレル変換部と、
前記複数の拡散部からの出力をそれぞれ加算する複数の第１の加算器と、
該複数の第１の加算器の出力を逆高速フーリエ変換する変換器と、
所定の周期でガードインターバルを挿入する付加器とを備えていることを特徴とするマルチキャリアＣＤＭＡ送信装置。
【請求項９】
請求項４乃至８に記載されたマルチキャリアＣＤＭＡ送信装置において、
前記符号生成部が前記拡散符号群としてアダマール符号を生成することを特徴とするマルチキャリアＣＤＭＡ送信装置。
【請求項１０】
複数のサブキャリアに対応する複数の逆拡散処理部と、該複数の逆拡散処理部に共通の拡散符号群を供給する符号生成部とを備えたマルチキャリアＣＤＭＡ受信装置において、
前記符号生成部と前記複数の逆拡散処理部の各々との間に、前記拡散符号群の位相を調整する位相調整部を設けたことを特徴とするマルチキャリアＣＤＭＡ受信装置。
【請求項１１】
請求項１０に記載されたマルチキャリアＣＤＭＡ受信装置において、
前記位相調整部がそれぞれ他の位相調整部と異なる位相調整量を有していることを特徴とするマルチキャリアＣＤＭＡ受信装置。
【請求項１２】
請求項１０又は１１に記載されたマルチキャリアＣＤＭＡ受信装置において、
前記複数の逆拡散処理部が、それぞれ複数の逆拡散器を備え、
前記符号生成部が、前記複数の逆拡散器に互いに異なる拡散符号を供給するための複数の符号生成器を備え、
前記位相調整部が、前記複数の符号生成器から前記複数の逆拡散器に供給される複数の拡散符号の位相をそれぞれ調整するための複数の位相調整器を備えていることを特徴とするマルチキャリアＣＤＭＡ受信装置。
【請求項１３】
請求項１０，１１又は１２に記載されたマルチキャリアＣＤＭＡ受信装置において、
前記複数のサブキャリアに対応し、受信信号を復調する複数の復調器と、
該複数の復調器からの復調信号に基づいて伝播路での振幅・位相変動を推定し、前記複数のサブキャリアに対応する補正係数を出力するチャネル推定器と、
前記複数の復調器からの復調信号を、前記補正係数を用いてそれぞれ補正し、前記複数の逆拡散処理部へ供給する複数の乗算器と、
前記複数の逆拡散処理部の出力を所定の順序に並べて受信データ列とするパラレル／シリアル変換部とを備えていることを特徴とするマルチキャリアＣＤＭＡ受信装置。
【請求項１４】
請求項１０，１１又は１２に記載されたマルチキャリアＣＤＭＡ受信装置において、
受信信号に含まれるガードインターバルを除去する除去器と、
該除去器の出力を高速フーリエ変換し、前記複数のサブキャリアに対応する複数の分解受信信号に分解する変換器と、
該変換器からの前記複数の分解受信信号に基づいて伝播路の伝播特性を推定し、前記複数のサブキャリアに対応する補正係数を出力するチャネル推定器と、
前記変換器からの前記複数の分解受信信号を、前記補正係数を用いてそれぞれ補正し、前記複数の逆拡散処理部へ供給する複数の乗算器と、
前記複数の逆拡散処理部の出力を所定の順序に並べるパラレル／シリアル変換器と、
シリアル信号を復調する復調器と、
復調信号を誤り訂正復号する復号器とを備えていることを特徴とするマルチキャリアＣＤＭＡ受信装置。
【請求項１５】
請求項１０乃至１４に記載されたマルチキャリアＣＤＭＡ受信装置において、
前記符号生成部が前記拡散符号群としてアダマール符号を生成することを特徴とするマルチキャリアＣＤＭＡ受信装置。
【発明の詳細な説明】
【技術分野】
【０００１】
本発明は、マルチキャリアと時間領域拡散とを用いるマルチキャリアＣＤＭＡ（Code Division Multiple Access：符号分割多元接続）通信方法および通信装置に関する。
【背景技術】
【０００２】
ＯＦＤＭ（Orthogonal Frequency Division Multiplexing：直交周波数分割多重）と、時間領域拡散とを組み合わせた従来のマルチキャリアＣＤＭＡ通信システムは、例えば、図８及び図９に示すように構成されている（例えば、非特許文献１参照）。
【０００３】
即ち、従来のマルチキャリアＣＤＭＡ送信装置は、図８に示すように、符号器８１、変調器８２、シリアル／パラレル変換器８３、拡散器８４−１１〜８４−ＭＮ、符号生成器８６−１〜８６−Ｍ、加算器８７−１〜８７−Ｎ、逆フーリエ変換器（ＩＦＦＴ：Inverse Fast Fourier Transform）８８、及びガードインターバル付加器８９を備えている。
【０００４】
また、従来のマルチキャリアＣＤＭＡ受信装置は、図９に示すように、ガードインターバル除去器９１、フーリエ変換器（ＦＦＴ：Fast Fourier Transform）９２、チャネル推定器９３、乗算器９４−１〜９４−Ｎ、逆拡散器９５−１１〜９５−ＮＭ、符号生成器９７−１〜９７−Ｍ、パラレル／シリアル変換器９８、復調器９９、及び復号器１００を備えている。
【０００５】
図８の送信装置において、入力されるビット列は、符号器８１で誤り訂正符号化が施され、変調器８２でデータ変調された後、シリアル／パラレル変換器８３に入力される。シリアル／パラレル変換器８３は、変調器８２から出力されるデータを、マルチキャリアのサブキャリア数ＮとＣＤＭＡの符号多重数Ｍの積の数（Ｎ×Ｍ個）のビット列に分解し、拡散器８４−１１〜８４−ＮＭへ出力する。その一方で、符号生成器８６は、符号多重数分（Ｍ個）の拡散符号を生成し、拡散器８４−１〜８４−２に供給する。
【０００６】
拡散器８４−１１〜８４−ＮＭは、シリアル／パラレル変換器８３が出力する各ビット列について、符号生成器８６が出力する拡散符号を用いて拡散を行い、加算器８７−１〜８７−Ｎへ出力する。加算器８７−１〜８７−Ｎは、拡散器８４−１１〜８４−ＮＭが出力するデータを、サブキャリアごとの各チップ位置について加算して逆フーリエ変換器８８へ出力する。逆フーリエ変換器８８は、加算器８７−１〜８７−Ｎからの各出力データをサブキャリアのデータとして、
逆フーリエ変換を行う。ガードインターバル付加器８９は、逆フーリエ変換器８８が出力するデータに一定周期でガードインターバルを付加する。ガードインターバル付加器８９の出力が送信装置の出力信号となる。
【０００７】
また、図９の受信装置では、まずガードインターバル除去器９１が、送信装置より出力された信号からガードインターバルを除去する。ガードインターバル除去器９１の出力信号は、フーリエ変換器９２にてフーリエ変換されて、マルチキャリアの各サブキャリアの信号に分解される。チャネル推定器９３は、データと一緒に送信されて来るパイロット信号などを用いて伝播路の伝播特性を推定し、その補正係数を生成出力する。乗算器９４−１〜９４−Ｎは、フーリエ変換器９２の出力信号にチャネル推定器９３が出力する伝播特性の補正係数を、サブキャリアごとに乗算する。その一方で、符号生成器９７は、符号多重数分の拡散符号を生成して出力する。
【０００８】
逆拡散器９５−１〜９５−Ｎは、乗算器９４−１〜９４−Ｎの出力信号について、符号生成器９７が出力する拡散符号に応じて逆拡散処理を行って、処理結果を出力する。パラレル／シリアル変換器９８は、逆変換器９５−１〜９５−２の出力信号を、送信順に並べ直して出力する。復調器９９は、パラレル／シリアル変換器９８の出力信号を復調し、復号器１００は、復調器９９が出力するデータ列に誤り訂正復号を施す。復号器１００の出力が、受信装置の出力ビット列となる。
【０００９】
以上のようにして従来のマルチチャネルＣＤＭＡ通信システムでは、マルチパスフェージングの発生を抑制しつつ、高速でデータ伝送を実現することができる。
【００１０】
ところで、この種のマルチチャンネルＣＤＭＡ通信システムでは、全サブキャリアの送信シンボルが一致するときにその合成信号の振幅（ピーク電圧）が極端に大きくなることが知られている。そして、このような極端なピーク電圧を抑制する方法として、拡散コードとして偶対称コード及び奇対称コードを用いて、Ｉ−Ｑ平面上での信号点の分布を一様にする方法がある（例えば、特許文献１参照。）。
【００１１】
【特許文献１】特開２００３−１１０５２５号公報（特に、段落００１４）
【非特許文献１】三好謙一、松本淳志、上杉充  著、「ＯＦＣＤＭにおける時間軸方向拡散に関する検討」、信学技報ＲＳＣ２００１−１７９、電子情報通信学会、２００１年１１月
【発明の開示】
【発明が解決しようとする課題】
【００１２】
マルチキャリアＣＤＭＡ通信システムには、周波数領域拡散を行うものと時間領域拡散をおこなうものとがある。そして、周波数領域拡散を行うものについては、前述のように、ピーク電圧の抑制方法が既に提案されている。
【００１３】
これに対して、時間領域で拡散を行うマルチキャリアＣＤＭＡ通信システムについては、ピーク電圧の発生やそれを抑制する方法について明らかにしたものは未だ存在しない。
【００１４】
時間領域拡散を行うマルチキャリアＣＤＭＡ通信システムでは、符号多重数が多くなると変調信号のピーク電圧が周期的に高くなり、平均信号電力に比較して高いピークファクタへの対応が必要になる場合がある。この周期的ピーク電圧の発生の理由は、多重するビットパターンによって拡散区間内で振幅に偏りが生ずるからである。
【００１５】
例えば、符号多重に通常使用されるアダマール符号は、図１０に示すように全８通り（♯０〜♯７）の波形を有している。図１０において、横軸はチップ位置、縦軸は振幅である。これらのうち、波形♯１〜♯７を有する７つの符号でそれぞれビット“０”を拡散して多重すると、多重後の信号は図１１に示すような波形となる。即ち先頭のチップの振幅は“＋７”となり、残りの７個のチップの振幅は全て“−１”となって、先頭のチップの振幅のみ、極端に大きくなる。
【００１６】
即ち、時間領域拡散を行うマルチキャリアＣＤＭＡ方式では、あるチップ位置の振幅がサブキャリアの数に応じて大きくなり、送信装置の最終段の信号増幅器及び受信装置の初段の受信信号増幅器に、それぞれ広いダイナミックレンジを必要とするという問題点がある。
【００１７】
そこで、本発明は、符号多重数が多い場合でも変調信号のピーク振幅を抑制することができる、時間領域拡散を行うマルチキャリアＣＤＭＡ通信方法及び送信・受信装置を提供することを目的とする。
【課題を解決するための手段】
【００１８】
本発明の第１の要旨は、複数のサブキャリアに対応する複数の経路の各々で、複数のデータ列を符号分割多重するマルチキャリアＣＤＭＡ通信方法において、前記複数のデータ系列の拡散に用いられる拡散符号群の位相を前記経路毎にずらしたことを特徴としたことである。
【００１９】
より具体的には、上記マルチキャリアＣＤＭＡ通信方法において、符号生成部で生成させた前記拡散符号群を前記複数の経路に対応するよう分岐させ、分岐させた複数の拡散符号群の位相を、対応する経路毎に予め定められた量だけずらすようにしたことを特徴としたことにある。
【００２０】
また、本発明の第２の要旨は、複数のサブキャリアにそれぞれ対応する複数の拡散処理部と、該複数の拡散処理部に共通の拡散符号群を供給する符号生成部とを備えたマルチキャリアＣＤＭＡ送信装置において、前記符号生成部と前記複数の拡散処理部の各々との間に、前記拡散符号群の位相を調整する位相調整部を設けたことを特徴としたことにある。
【００２１】
ここで、前記位相調整部はそれぞれ他の位相調整部とは異なる位相調整量を有している。
【００２２】
さらに、本発明の第３の要旨は、複数のサブキャリアにそれぞれ対応する複数の逆拡散処理部と、該複数の逆拡散処理部に共通の拡散符号群を供給する符号生成部とを備えたマルチキャリアＣＤＭＡ受信装置において、前記符号生成部と前記複数の逆拡散処理部の各々との間に、前記拡散符号群の位相を調整する位相調整部を設けたことを特徴としたことにある。
【００２３】
ここで、前記位相調整部における位相調整量は、他の位相調整部と異なっている。
【発明の効果】
【００２４】
本発明によれば、拡散符号群の位相をサブキャリアに対応する経路毎にずらすようにしたことで、同一のデータビットを拡散し符号多重した場合に発生する信号電力のピーク位置（チップ位置）が、サブキャリア毎に異なることになる。その結果、全てのサブキャリアを合成したときに各サブキャリアのピーク位置が互いにずれて、マルチキャリア信号としての各チップ位置の信号電力は平均化される。よって、送信装置及び受信装置において、広いダイナミックレンジを持つ増幅器が不要となる。
【発明を実施するための最良の形態】
【００２５】
次に、本発明の実施の形態について図面を参照して詳細に説明する。
【００２６】
図１を参照すると、本発明の一実施の形態としてのマルチキャリアＣＤＭＡ送信装置が示されている。
【００２７】
図示の送信装置は、サブキャリア数（＝経路数）Ｎ、符号多重数ＭのマルチキャリアＣＤＭＡ送信装置である。この送信装置は、シリアル／パラレル変換器１３、拡散器１４−１１〜１４−ＮＭ、位相調整器１５−１１〜１５−ＮＭ、符号生成器１６−１〜１６−Ｍ、第１の加算器１７−１〜１７〜Ｎ、変調器１８−１〜１８−Ｎ、及び第２の加算器１９を備えている。
【００２８】
シリアル／パラレル変換器１３は、入力ビット列を分解し、サブキャリア数Ｎと符号多重数Ｍの積（Ｎ×Ｍ）に等しい数のビット列を生成し、拡散器１４−１１〜１４−ＮＭへ出力する。
【００２９】
拡散器１４−１１〜１４−ＮＭは、Ｎ個のサブキャリア（経路）に対応するＮ個の拡散部を構成している。各拡散部は、Ｍ個１組の拡散器からなる。即ち、拡散器１４−ｎ１〜１４−ｎＭ（１≦ｎ≦Ｎ）が、第ｎ番目のサブキャリアに対応する。拡散器１４−１１〜１４−ＮＭは、それぞれ、シリアル／パラレル変換器１３から入力されるビット列を、位相調整器１５−１１〜１５−ＮＭより供給される拡散符号を用いて拡散する。この拡散器１４−１１〜１４−ＮＭとしては、公知のものが利用できる。
【００３０】
位相調整器１５−１１〜１５−ＮＭは、拡散器１４−１１〜１４−ＮＭに１対１で対応している。そして、位相調整器１５−ｎ１〜１５−ｎＭ（１≦ｎ≦Ｎ）が、第ｎ番目のサブキャリア（即ち、第ｎ番目の拡散部）に対応する位相調整部を構成する。位相調整器１５−１１〜１５−ＮＭは、後述するように、符号生成器１６−１〜１６−Ｍからの拡散符号の位相を調整して拡散器１４−１１〜１４−ＮＭへ供給する。なお、Ｎ個の位相調整部のうちいずれか一つは省略可能である。
【００３１】
符号生成器１６−１〜１６−Ｍは、全ての拡散部に共通の拡散符号群を供給する符号生成部として機能する。各符号生成器１６−ｍ（１≦ｍ≦Ｍ）は、他の符号生成器とは異なる拡散符号を生成する。符号生成器１６−ｍで生成された拡散符号はＮ分岐され、位相調整器１５−ｎ１〜１５−ｎＭ（１≦ｎ≦Ｎ）で位相調整された後、拡散器１４−ｎ１〜１４−ｎＭに供給される。この符号生成器１６−１〜１６−Ｍとしては、公知のものが利用できる。また、拡散符号としては、例えばアダマール符号が利用できる。
【００３２】
第１の加算器１７−１〜１７−ｎは、それぞれ対応する拡散器１４−１１＝１４−ＮＭからの出力信号を加算し、対応する変調器１８−１〜１８−Ｎへ出力する。つまり、第１の加算器１７−ｎ（１≦ｎ≦Ｎ）は、拡散器１４−ｎ１〜１４−ｎＭからの出力信号を加算して変調器１８−ｎへ出力する。
【００３３】
変調器１８−１〜１８−Ｎは、加算器１７−１〜１７−Ｎの出力信号を用いてそれぞれに割り当てられたサブキャリアを変調して加算器１９へ出力する。この変調器１８−１〜１８−Ｎとしては、公知のものが利用できる。
【００３４】
加算器１９は、変調器１８−１〜１８−Ｎからの出力を加算し、この送信装置の出力信号として出力する。
【００３５】
次に、位相調整器１５−１１〜１５−ＮＭの動作について、図２乃至図４を参照して詳細に説明する。
【００３６】
まず、符号生成器１６−１〜１６−Ｍは、従来と同様、符号多重数に応じて例えば図２に示すような拡散符号を出力する。図２の拡散符号は、符号長８であり、符号長と同じ８通りの直交する拡散符号が存在し、８コードまでの符号多重ができる。例えば、Ｍ＝７のとき、符号生成器１６−１〜１６−Ｍは、拡散コード♯１〜♯７を出力する。
【００３７】
位相調整器１５−１１〜１５−ＮＭは、例えばシフトレジスタによって構成され、符号生成器１６−１〜１６−Ｍが出力した拡散符号の位相を、経路毎に異なる量だけずらす。例えば、第ｎ番目のサブキャリア（経路）に対応する位相調整器１５−ｎ１〜１５−ｎＭ（１≦ｎ≦Ｎ）は、入力された拡散符号をｎチップ分だけシフトさせて出力する。ｎ＝１の場合のシフトの様子を図３に、ｎ＝２の場合のシフトの様子を図４に、それぞれ示す。
【００３８】
図２に示す拡散符号♯１〜♯７を用いて、同じビットデータを符号多重すると、左端のチップ位置の信号振幅がほかの位置の７倍になる（図１１参照）。一方、図３に示す拡散符号♯１〜♯７を用いた場合は、左から二番目のチップ位置の振幅が大きくなる。また、図４に示す拡散符号♯１〜♯７を用いた場合は、左から三番目のチップ位置の振幅が大きくなる。このように、拡散符号の位相を経路毎にずらしておくことで、符号多重された信号の振幅のピーク位置を経路ごとに異ならせることができる。その結果、これら符号多重された信号で変調されたサブキャリアの振幅のピーク位置もずれることになり、全サブキャリアが合成された信号波の振幅が平均化され、ピークが生じにくくなる。
【００３９】
次に、図５を参照して、図１の送信装置から送信されたマルチキャリア符号多重信号を受信する受信装置について説明する。
【００４０】
図示の受信装置は、復調器５２−１〜５２−Ｎ、チャネル推定器５３、乗算器５４−１〜５４−Ｎ、逆拡散器５５−１１〜５５−ＮＭ、位相調整器５６−１１〜５６−ＮＭ、符号生成器５７−１〜５７−Ｍ、及びパラレル／シリアル変換器５８を備えている。
【００４１】
復調器５２−１〜５２−Ｎは、サブキャリアの数に応じて設けられ、マルチキャリア符号多重信号の各サブキャリアで伝送された信号をそれぞれ復調する。復調器５２−１〜５２−Ｎで復調された信号は、チャネル推定器５３及び対応する乗算器５４−１〜５４−Ｎへ出力される。
【００４２】
チャネル推定器５３は、復調器５２−１〜５２−Ｎにより復調された信号より伝播路での振幅・位相変動を推定し、その補正係数を乗算器５４−１〜５４−Ｎへ出力する。
【００４３】
乗算器５４−１〜５４−Ｎは、チャネル推定器５３が出力する補正係数を、復調器５２−１〜５２−Ｎの出力にそれぞれ乗算し、乗算結果を逆拡散器５５−１１〜５５ＮＭへ出力する。
【００４４】
逆拡散器５５−１１〜５５−ＮＭは、位相調整器５６−１１〜５６−ＮＭより供給される拡散符号を用いて、乗算器５４−１〜５４−Ｎの出力信号を逆拡散する。即ち、乗算器５４−ｎ（１≦ｎ≦Ｎ）からの出力信号をＭ分岐し、逆拡散器５５−ｎ１〜５５−ｎＭでそれぞれ逆拡散する。
【００４５】
符号生成器５７−１〜５７−Ｍ及び位相調整器５６−１１〜５６−ＮＭは、図１の送信装置の符号生成器１６−１〜１６−Ｍ及び位相調整器１５−１１〜１５−ＮＭと、同様に動作する。
【００４６】
パラレル／シリアル変換器５８は、逆拡散器５５−１１〜５５−ＮＭの出力信号を、多重順序に従って並べ直して出力する。
【００４７】
図６に、本発明の他の実施の形態に係る送信装置を示す。
【００４８】
図６の送信装置は、マルチキャリア送信を実現する構成として従来（図８）と同様のＯＦＤＭを採用したものである。図６の送信装置を、図１の送信装置と比べると、符号器６１、変調器６２及びガードインターバル付加器６３が追加され、変調器１８−１〜１８−Ｎ及び加算器１９に代えて逆フーリエ変換器６４が設けられている。
【００４９】
図６の送信装置の動作は、基本的に図８の送信装置と同じであり、位相調整器１５−１１〜１５−ＮＭの動作は図１のものと同じである。
【００５０】
また、図７に図６の送信装置に対応する受信装置を示す。
【００５１】
図７の受信装置を図５の受信装置と比べると、復調器５２−１〜５２−Ｎがガードインターバル除去器７１及び高速フーリエ変換器７２に置き換えられ、復調器７３及び復号器７４が追加されている。
【００５２】
図７の受信装置の動作は、基本的に図９の受信装置と同じであり、位相調整器５６−１１〜５６−ＮＭの動作は図５のものと同じである。
【図面の簡単な説明】
【００５３】
【図１】本発明の一実施の形態に係るマルチキャリアＣＤＭＡ送信装置の構成を示すブロック図である。
【図２】符号長８のアダマール符号を説明するための波形図である。
【図３】図２に示す符号長８のアダマール符号を１チップ右にシフトした状態を示す波形図である。
【図４】図２に示す符号長８のアダマール符号を２チップ右にシフトした状態を示す波形図である。
【図５】図１のマルチキャリアＣＤＭＡ送信装置に対応する受信装置の構成を示すブロック図である。
【図６】本発明の他の実施の形態に係るマルチキャリアＣＤＭＡ送信装置の構成を示すブロック図である。
【図７】図６のマルチキャリアＣＤＭＡ送信装置に対応する受信装置の構成を示すブロック図である。
【図８】従来のＯＦＤＭ−ＣＤＭＡ送信装置の構成を示すブロック図である。
【図９】図８のＯＦＤＭ−ＣＤＭＡ送信装置に対応する受信装置の構成を示すブロック図である。
【図１０】符号長８のアダマール符号を説明するための波形図である。
【図１１】図１０のアダマール符号のうち符号＃１〜＃７を合成した状態を示す波形図である。
【符号の説明】
【００５４】
１３    Ｓ／Ｐ（シリアル／パラレル変換器）
１４−１１〜１４−ＮＭ    拡散器
１５−１１〜１５−ＮＭ    位相調整器
１６−１〜１６−Ｍ    拡散符号生成器
１７−１〜１７−Ｎ    第１の加算器
１８−１〜１８−Ｎ    変調器
１９    第２の加算器
５２−１〜５２−Ｎ    復調器
５３    チャネル推定器
５４−１〜５４−Ｎ    乗算器
５５−１１〜５５−ＮＭ    逆拡散器
５６−１１〜５６−ＮＭ    位相調整器
５７−１〜５７−Ｍ    符号生成器
５８    Ｐ／Ｓ（パラレル／シリアル変換器）
６１    符号器
６２    変調器
６３    ガードインターバル付加器
６４    ＩＦＦＴ（逆フーリエ変換器）
７１    ガードインターバル除去器
７２    ＦＦＴ（フーリエ変換器）
７３    復調器
７４    復号器
８１    符号器
８２    変調器
８３    Ｓ／Ｐ（シリアル／パラレル変換器）
８４−１１〜８４−ＮＭ    拡散器
８６−１〜８６−Ｍ    符号生成器
８７−１〜８７−Ｎ    加算器
８８    ＩＦＦＴ（逆フーリエ変換器）
８９    ガードインターバル付加器
９１    ガードインターバル除去器
９２    ＦＦＴ（フーリエ変換器）
９３    チャネル推定器
９４−１〜９４−Ｎ    乗算器
９５−１１〜９５−ＮＭ    逆拡散器
９７−１〜９７−Ｍ    符号生成器
９８    Ｐ／Ｓ（パラレル／シリアル変換器）
９９    復調器
１００    復号器
【図１】
2006303552.tif 000003
【図２】
2006303552.tif 000004
【図３】
2006303552.tif 000005
【図４】
2006303552.tif 000006
【図５】
2006303552.tif 000007
【図６】
2006303552.tif 000008
【図７】
2006303552.tif 000009
【図８】
2006303552.tif 000010
【図９】
2006303552.tif 000011
【図１０】
2006303552.tif 000012
【図１１】
2006303552.tif 000013